(57)【要約】【課題】限られたスペースに設置されるスピーカにおいても、音質が改善された演出音を生成することで、遊技の興趣を高めることができる遊技機を提供すること。【解決手段】遊技機１は、その遊技盤１０に一般入賞口１１Ａ〜１１Ｄ、始動通過ゲート１２、始動入賞口及１３、大入賞口１４、普通図柄表示装置１５、特別図柄表示装置１６を備え、遊技盤１０の上部にステレオ式のスピーカ装置２が配置されている。前記スピーカ装置２は、遊技表示部（フロントドアレンズ）４の裏面側に取付けられ、スピーカ２０の放音部２０ａが左右にステレオ式に配置されていると共に、それぞれスピーカ２０の背面２１側と遊技機１の裏面１８側外方間を連通させるダクト部２２を設けている。【選択図】        図２
2004201925.tif 000002
【特許請求の範囲】
【請求項１】
遊技の主たる制御を行う遊技制御手段と、前記遊技制御手段の制御に基づいて音声に関する制御を行う音声制御手段と、この音声制御手段により駆動されるスピーカとを備える遊技機において、
スピーカの背面側と遊技機の裏面側外方との間を連通させる連通孔を形成したことを特徴とする遊技機。
【請求項２】
前記連通孔は、スピーカの径以上の直径を有し、スピーカの背面側から延設された筒状体であることを特徴とする請求項１に記載の遊技機。
【請求項３】
スピーカ毎に筒状体が備えられたことを特徴とする請求項２に記載の遊技機。
【請求項４】
前記遊技機は、スロットマシン、弾球遊技機であることを特徴とする請求項１乃至３の何れかに記載の遊技機。
【発明の詳細な説明】
【発明の属する技術分野】
【０００１】
本発明は、パチンコ機等の遊技機に関し、特にスピーカを内蔵した遊技機に関する。
【０００２】
【従来の技術】
パチンコ機をはじめとする遊技機に内蔵されているスピーカは遊技状態を演出し、報知する重要な装置であり、音質が良好であることが望ましいが、単純にスピーカ単体で遊技機筐体に取付けられている場合が多い。
【０００３】
一方で、次のような改良技術も存在している。
例えば、特許文献１では、エンクロージャ１４２にスピーカユニット１４３を装着したスピーカ装置１４１を、前枠２に対して裏面側から装着し、効果音等の音質を高めている。
【０００４】
【特許文献１】
特開２００２−１７７４７６号公報（第１１頁段落００９７、図９）
【０００５】
【発明が解決しようとする課題】
しかし、遊技機内の限られたスペースを前提にして、音質を向上させるため、前記エンクロージャ等の容積等を広げるような工夫にも限界がある。
特に、スピーカの裏側は、遊技機の諸装置に遮られ、十分なバッフル効果が得られず、スピーカの音質に不満があった。
【０００６】
そこで、本願発明は、限られたスペースに設置されるスピーカにおいても、音質が改善された演出音を生成することで、遊技の興趣を高めることができる遊技機を提供することを目的とする。
【０００７】
【課題を解決するための手段】
上記課題を解決するため、本願発明に係る遊技機は、遊技の主たる制御を行う遊技制御手段と、前記遊技制御手段の制御に基づいて音声に関する制御を行う音声制御手段と、この音声制御手段により駆動されるスピーカとを備える遊技機において、スピーカの背面側と遊技機の裏面側外方との間を連通させる連通孔を形成したことを特徴とする（請求項１に記載の発明）。
前記連通孔により遊技機筐体の背面側の空間を有効に利用して、エンクロージャとして利用することができ、スピーカの音質が改善される。
例えば、前記連通孔の開口端が島設備の内側空間に臨む場合には、スピーカのエンクロージャの容量を十分に確保できない場合であっても、遊技機筐体の背面に広がる島設備の空間を有効に利用できる。
即ち、島設備全体が恰もエンクロージャとして機能することから、スピーカがダイナミックに作動し、スピーカの音質が改善される。
ここで、連通孔は、スピーカ背面側と遊技機裏面側の外方を連通させるものであれば、どのような構成のものでもよく、例えば、スピーカ裏面に配置された遊技機の諸装置の外壁により構成してもよい。
【０００８】
上記発明において、前記連通孔は、スピーカの径以上の直径を有し、スピーカの背面側から延設された筒状体であることを特徴とする（請求項２に記載の発明）。
スピーカ裏面に配置された遊技機の装置、諸部材との一体的な成形も可能になる。
【０００９】
上記各発明において、スピーカ毎に筒状体が備えられている構成した（請求項３に記載の発明）。
スピーカ毎に設けられた前記連通孔により、スピーカ毎の音質を改善できる。
【００１０】
上記スピーカ装置を取付けた遊技機は、スロットマシン、弾球遊技機等であり（請求項４に記載の発明）、これら遊技機の音による演出効果を高めることができる。
【００１１】
【発明の実施の形態】
上記各発明の実施の形態に係る構成例を図面に基づいて説明する。
図１〜図５は、実施形態に係るスピーカ装置を取付けた遊技機の正面図、図１のＡ−Ａ矢視断面図、同背面図、スピーカ装置の分解斜視図、同遊技機を取付けた遊技島の斜視図、同遊技機の制御ブロック図である。
なお、これらの各図、後述の各図において、同一の構成については、同一の符号を付して、重複した説明を省略する。
【００１２】
実施形態に係る遊技機１としてのパチンコ機は、図１のように、その遊技盤１０に一般入賞口１１Ａ〜１１Ｄ、始動通過ゲート１２、始動入賞口１３、大入賞口１４、普通図柄表示装置１５、特別図柄表示装置１６を備え、遊技盤１０の上部にステレオ式のスピーカ装置２が配置されている。
そして遊技領域１７に打ち込まれた遊技球が前記始動通過ゲート１２を通過すると、普通図柄表示装置１５により普通図柄表示ゲームが行われ、その結果に基づき、前記始動入賞口１３が開き、その入賞に基づき特別図柄表示装置１６により特別図柄表示ゲームが行われ、特定の図柄が揃うと「大当たり」となり、前記大入賞口１４が開閉され、賞球獲得のチャンスが増大する。
このような遊技状態の進行に応じて、前記スピーカ装置２により、ダイナミックな音質の遊技音が鳴らされて、遊技の興趣を高めるような遊技機１となっている。
【００１３】
前記スピーカ装置２は、図１〜図４に示したように、遊技表示部（フロントドアレンズ）４の裏面側に取付けられ、スピーカ２０の放音部２０ａが左右にステレオ式に配置されていると共に、それぞれスピーカ２０の背面２１側と遊技機１の裏面１８側外方間を連通させる連通孔としてのダクト部２２を設けている。
なお、前記左右のスピーカ装置２は、それぞれ、略同一の構成であるので、右側のスピーカ装置２を左側のスピーカ装置２に代表させて説明する。
【００１４】
前記スピーカ２０は図４のように、スピーカブラケット２３を介して前記フロントドア４に取付られ、その通音孔４ａを介して、スピーカ２０の放音部２０ａが遊技機１前面に臨んでいる。
【００１５】
前記ダクト部２２は、前記スピーカ２０の放音部２０ａ背面から出力される音波を遊技機１の裏面１８側に導くもので筒状に形成されている。
前記ダクト部２２は、前記スピーカ２０の径以上の直径を有し、その一方の開口端２２ａが前記スピーカ２０の放音部２０ａの背面を囲むように配置され、他方の開口端２２ｂが遊技機１の裏面１８に臨んでいる。
【００１６】
このダクト部２２は、合成樹脂等により成形した部材を用いても良く、また、遊技機１の裏面に配置されている遊技球供給枠１４ａ等の装置と一体的に成形しもてよい。
【００１７】
前記ダクト部２２は、それぞれ左右のスピーカ２０に独立、分離して配置されており、スピーカ毎の音質を改善できる。またダクト部２２の長さを最短にすることで、その音エネルギーを遊技機１の裏面１８の空間（図５の島設備５の内部空間）に速やかに放出できるようにしている。
【００１８】
上記のように構成されたスピーカ装置２０を取付けた遊技機１は、図５のように島設備５に複数並設され、前記ダクト部２２の他端２２ｂが島設備５の内部空間に連通されている。この島設備５の内側空間には、前記各遊技機１に遊技球を供給する供給樋、アウト玉タンク、該アウト玉タンクから排出された遊技球を集めて供給樋に揚送する揚送装置等（それぞれ図示略）が設けられているが、それら以外は空間となっており、本発明は島設備５の空間を有効に利用して、島設備全体を恰もエンクロージャのように機能させている。
よって、前記スピーカ２０がダイナミックに作動し、スピーカの音質が改善される。また、スピーカ２０の背面から放射する、余分な音響エネルギーを広い空間に発散させることでも、スピーカの音質が改善される。
【００１９】
以上、前記スピーカ装置２０を中心に前記遊技機１の構成例を説明したが、この遊技機１は、図６に示すような遊技制御回路によって制御されている。
この遊技制御回路は、遊技の主制御を行う遊技制御手段３を備え、この遊技制御手段３には、前記始動通過ゲート１２の遊技球の通過を検出する始動入賞玉検出器１２ａ、各入賞口１１Ａ〜１１Ｄ、１３、１４への遊技球の入賞数をカウトンする入賞個数検出器１１ａ、始動入賞口１３への遊技球の入賞を検出する特定入賞玉検出器１３ａからの信号を、それぞれ検出する検出回路３Ａ、前記スピーカ２０を接続すると共に、前記遊技制御手段３からの制御信号に基づいて音声制御を行う音声制御手段３Ｂ、前記普通図柄表示装置１５、前記特別図柄表示装置１６、装飾ＬＥＤ１７ａ、装飾ランプ１７ｂ、始動入賞記憶表示器１８ａ、入賞個数表示器１８ｂ等を接続すると共に、前記遊技制御手段３からの制御信号に基づいての前記各表示器の表示制御を行う表示制御手段３Ｃ、前記始動入賞口１３の開閉を行うソレノイド１３ｂ、前記大入賞口１４の開閉を行うソレノイド１４ｂを接続すると共に、前記遊技制御手段３からの制御信号に基づいて、各ソレノイドの動作制御を行うソレノイド駆動回路３Ｄが接続されている。
【００２０】
前記音声制御手段３Ｂには、電子音やメッセージ音声等を生成する音声合成回路とメモリが内蔵されており、前記遊技制御手段３からの制御信号に基づき、前記遊技機１の遊技状態に応じて、前記スピーカ２０より、遊技を盛り上げる効果音等が鳴らされる。
特に、前記スピーカ２０の背面に配置された前記ダクト部２２が、島設備５の内部に連通されているので、スピーカ２０の背面から放射される音響エネルギーが、前記ダクト部２２を介して、広大な島設備５の内部に抜け、遮音され、遊技者は、ダイナミックで、また明瞭な音質を楽しみつつ、普通図柄表示ゲームや特別図柄表示ゲームを行うことができる。
【００２１】
前記スピーカ装置２は、遊技機１の上部にもうけられているが、その設置位置は特定の場所に限定されるものではなく、例えば、発射装置６（図１）の裏面など、どこでもよい。
前記実施形態では弾球遊技機のパチンコ機について説明したが、パチスロ機、その他の遊技機に上記スピーカ装置２を取付けることにより、音質が改善された演出音を生成することで、遊技の興趣を高めることができる。
【００２２】
【発明の効果】
請求項１に記載の発明によれば、前記連通孔によってスピーカと遊技機筐体の背面側空間とをつなげることにより、背面側の空間をスピーカのエンクロージャとして利用することができる。その結果、スピーカの音質が改善できる。
【００２３】
請求項２に記載の発明によれば、スピーカ裏面に配置された遊技機の装置、諸部材との一体的な成形も可能になる。
【００２４】
請求項３に記載の発明によれば、スピーカ毎に設けられた前記連通孔により、スピーカ毎の音質を改善できる。
【００２５】
請求項４に記載の発明によれば、上記効果を各種遊技機に発揮させることができる。
【図面の簡単な説明】
【図１】実施形態に係る遊技機の正面図、
【図２】図１に示した遊技機のＡ−Ａ断面図、
【図３】同遊技機の背面図、
【図４】同遊技機のスピーカ装置の分解斜視図、
【図５】同遊技機を取付けた島設備の斜視図、
【図６】同遊技機の遊技制御回路ブロック図。
【符号の説明】
１  遊技機                          １０  遊技盤
１１Ａ〜１１Ｄ  一般入賞口          １１ａ  入賞個数検出器
１２  始動通過ゲート                １３  始動入賞口
１２ａ  始動入賞玉検出器            １３ａ  特定入賞玉検出器
１３ｂ  ソレノイド
１４  大入賞口
１４ａ  遊技球供給枠                １４ｂ  ソレノイド
１５  普通図柄表示装置
１６  特別図柄表示装置              １７  遊技領域
１７ａ  装飾ＬＥＤ                  １７ｂ  装飾ランプ
１８  裏面                          １８ａ  始動入賞記憶表示器
１８ｂ  入賞個数表示器
２  スピーカ装置                    ２０  スピーカ
２０ａ  放音部                      ２１  背面
２２  ダクト部                      ２３  スピーカブラケット
２２ａ  ２２ｂ  開口端
３  遊技制御手段                    ３Ａ  検出回路
３Ｂ  音声制御手段                  ３Ｃ  表示制御手段
３Ｄ  ソレノイド駆動回路
４  遊技表示部（フロントドアレンズ）    ４ａ  通音孔
５  島設備
６  発射装置
【図１】
2004201925.tif 000003
【図２】
2004201925.tif 000004
【図３】
2004201925.tif 000005
【図４】
2004201925.tif 000006
【図５】
2004201925.tif 000007
【図６】
2004201925.tif 000008